(57)【要約】【課題】制御基板が基板ボックスに収納された制御装置に対する改竄を困難にすると共に、不正に制御装置を開放しようとした履歴を確実に確認できる遊技機を提供する。【解決手段】各種電子・電気パーツとコネクタを実装した遊技制御基板２０をベース部材３０と蓋部材４０よりなる基板ボックス５０に収納し、該基板ボックス５０に設けた止着部５１を覆うようにカバー部材６０を取り付けることで遊技制御装置７を構成し、基板ボックス５０の止着部５１にネジ４４が適正に止着されていないと、ネジ４４の頭部が邪魔になってカバー部材６０を基板ボックス５０へ取り付けることができず、基板ボックス５０に取り付けたカバー部材６０は、破壊しないと取り外せない固着手段７０により基板ボックス５０へ固着することで、基板ボックス５０を開放するためには、固着手段７０の破壊に加えて止着部５１のネジ４４を外す操作が必須となるようにした。【選択図】図５
2008055075.tif 000002
【特許請求の範囲】
【請求項１】
遊技に使用される電気部品を制御する制御基板を蓋部材とベース部材とからなる基板ボックスに収容してなる制御装置を備えた遊技機において、
前記蓋部材とベース部材とを止着部材により止着した閉状態と、止着部材による止着を解除して前記蓋部材と前記ベース部材とを開放可能とした開放可能状態と、に変換可能な止着部を設け、
前記基板ボックスには、前記止着部を覆うカバー部材を設け、
前記カバー部材は、破壊しないと取り外せないように固着する固着手段により基板ボックスへ固着したことを特徴とする遊技機。
【請求項２】
前記止着部材はネジにより構成し、
前記止着部のネジを緩めて前記蓋部材と前記ベース部材とを開放できる開放可能状態にしても、前記止着部からネジが外れることを阻止するネジ抜け阻止手段を設け、
前記止着部にネジを締め付けて閉状態にしないと、前記カバー部材を固着手段により基板ボックスへ固着できないようにしたことを特徴とする請求項１に記載の遊技機。
【請求項３】
前記カバー部材の前記基板ボックスへの取り付けを許容する取付許容状態と、前記カバー部材の前記基板ボックスへの取り付けを阻止する取付阻止状態とに変換可能な第１取付阻止手段を基板ボックスに設け、
前記第１取付阻止手段は、前記止着部材が止着部に止着されていない開放可能状態においては取付阻止状態に変換し、前記止着部材が止着部に止着された閉状態においては取付許容状態に変換することを特徴とする請求項１又は請求項２に記載の遊技機。
【請求項４】
前記制御基板には、前記電気部品から延出する各種配線コードに接続されるコード側コネクタを取り付けることで前記電気部品と当該制御基板とを電気的に接続する基板側コネクタを設け、
前記基板側コネクタを表出させた状態で前記制御基板を前記基板ボックスに収容し、
前記カバー部材を前記基板ボックスに取り付けると、前記基板側コネクタ及び該基板側コネクタに取り付けられたコード側コネクタを覆うようにしたことを特徴とする請求項１〜請求項３の何れか１項に記載の遊技機。
【請求項５】
前記カバー部材の前記基板ボックスへの取り付けを許容する取付許容状態と、前記カバー部材の前記基板ボックスへの取り付けを阻止する取付阻止状態とに変換可能な第２取付阻止手段を設け、
前記第２取付阻止手段は、前記基板側コネクタに前記コード側コネクタを取り付けていないと前記取付阻止状態に変換し、前記基板側コネクタに前記コード側コネクタを取り付けると前記許容状態に変換するようにしたことを特徴とする請求項４に記載の遊技機。
【発明の詳細な説明】
【技術分野】
【０００１】
本発明は、遊技に使用される電気部品を制御する制御基板を蓋部材とベース部材とからなる基板ボックスに収容してなる制御装置を備えた遊技機に関する。
【背景技術】
【０００２】
従来より、遊技機は各種の制御装置を備えており、特に、主たる遊技制御を行う遊技制御装置は、各種の電子・電気パーツが実装された遊技制御基板を制御基板ボックスに収納した構成となっている。この制御基板ボックスは、遊技制御基板を固定・保持するベース部材の開口面を蓋部材で閉止するもので、蓋部材から接続用コネクタ部のみを露出させ、遊技制御基板の電子・電気パーツが外部に露出しないようになっている。
【０００３】
よって、内部に収納した遊技制御基板に対する不正な改竄を防止するためには、制御基板ボックスが容易に開放されないようにすればよいので、ベース部材と蓋部材を閉止した後、ベース部材の一部と蓋部材の一部を分離不能に固着する固着手段を制御基板ボックスに複数設けておき、ニッパ等の工具を用いて固着手段を切除してベース部材と蓋部材から取り除かないと制御基板ボックスを開放できないようにした構造の遊技制御装置を備える遊技機が提案されている（例えば、特許文献１を参照）。
【０００４】
【特許文献１】特開２００５−２５３７３５号公報
【０００５】
この特許文献１に記載の発明によれば、固着手段の切除された数が遊技制御装置の開放履歴として残るので、不正改竄が行われた可能性のある不適正な開放履歴から、遊技制御基板に対する不正な改竄を的確に判断することが可能となる。
【発明の開示】
【発明が解決しようとする課題】
【０００６】
しかしながら、特許文献１に記載の発明では、固着手段の１カ所をニッパなどで破壊すれば、ネジを回して緩めるなどの作業をしなくても簡単に制御基板ボックスを開放できるため、不正ロム交換などの不正行為が素早く行われてしまうという問題がある。すなわち、不正改竄を行う不正遊技者にとっては、不正改竄を行った遊技機の遊技制御装置に開放履歴が残ってしまっても、この不正な開放履歴が確認されるまでの期間は不正遊技機として稼働しているので、不正遊技者が十分に利益を獲得できる可能性があるし、不正改竄が早期に発見されたとしても、改めて他の遊技機で不正改竄を行うことが容易であるから、開放履歴が残っても不正改竄に対する抑止効果は低く、遊技制御装置に開放履歴を残すだけでは、本質的な問題解決にならないのである。
【０００７】
なお、このような不正改竄を野放しにしないためには、遊技制御装置の開放履歴確認を毎日定期的に行えば良いと考えられるものの、遊技店には多くの遊技機が設置されており、遊技機１台ごとに前面枠を開放して遊技制御装置が不正に開放されていないか確認する作業には、多大な労力を要するため、全ての遊技機を毎日確認することは遊技店にとって大きな負担となり、現実的な解決法とは言えない。
【０００８】
また、各遊技機からの遊技情報を収集管理する管理装置の提示情報に基づいて不正改竄された遊技機を推定し、該当する遊技機を実際に確認して遊技制御装置の不正な開放履歴を発見する方法もあるが、遊技機に対する不正ロム交換などの不正改竄が行われてから、管理装置の提示情報で異常な遊技機の存在に気付くまでには、既に相当期間が経過している場合が多く、不正行為により少なからぬ損失を遊技店が被ってしまう。
【０００９】
そこで、本発明は、上記問題点に鑑み、制御基板が基板ボックスに収納された制御装置に対する改竄を困難にすると共に、不正に制御装置を開放しようとした履歴を確実に確認できるようにした遊技機の提供を目的とする。
【課題を解決するための手段】
【００１０】
上記の課題を解決するために、請求項１に係る発明は、遊技に使用される電気部品を制御する制御基板を蓋部材とベース部材とからなる基板ボックスに収容してなる制御装置を備えた遊技機において、前記蓋部材とベース部材とを止着部材により止着した閉状態と、止着部材による止着を解除して前記蓋部材と前記ベース部材とを開放可能とした開放可能状態と、に変換可能な止着部を設け、前記基板ボックスには、前記止着部を覆うカバー部材を設け、前記カバー部材は、破壊しないと取り外せないように固着する固着手段により基板ボックスへ固着したことを特徴とする。
【００１１】
また、請求項２に係る発明は、上記請求項１に記載の遊技機において、前記止着部材はネジにより構成し、前記止着部のネジを緩めて前記蓋部材と前記ベース部材とを開放できる開放可能状態にしても、前記止着部からネジが外れることを阻止するネジ抜け阻止手段を設け、前記止着部にネジを締め付けて閉状態にしないと、前記カバー部材を固着手段により基板ボックスへ固着できないようにしたことを特徴とする。
【００１２】
また、請求項３に係る発明は、上記請求項１又は請求項２に記載の遊技機において、前記カバー部材の前記基板ボックスへの取り付けを許容する取付許容状態と、前記カバー部材の前記基板ボックスへの取り付けを阻止する取付阻止状態とに変換可能な第１取付阻止手段を基板ボックスに設け、前記第１取付阻止手段は、前記止着部材が止着部に止着されていない開放可能状態においては取付阻止状態に変換し、前記止着部材が止着部に止着された閉状態においては取付許容状態に変換することを特徴とする。
【００１３】
また、請求項４に係る発明は、上記請求項１〜請求項３の何れか１項に記載の遊技機において、前記制御基板には、前記電気部品から延出する各種配線コードに接続されるコード側コネクタを取り付けることで前記電気部品と当該制御基板とを電気的に接続する基板側コネクタを設け、前記基板側コネクタを表出させた状態で前記制御基板を前記基板ボックスに収容し、前記カバー部材を前記基板ボックスに取り付けると、前記基板側コネクタ及び該基板側コネクタに取り付けられたコード側コネクタを覆うようにしたことを特徴とする。
【００１４】
また、請求項５に係る発明は、上記請求項４に記載の遊技機において、前記カバー部材の前記基板ボックスへの取り付けを許容する取付許容状態と、前記カバー部材の前記基板ボックスへの取り付けを阻止する取付阻止状態とに変換可能な第２取付阻止手段を設け、前記第２取付阻止手段は、前記基板側コネクタに前記コード側コネクタを取り付けていないと前記取付阻止状態に変換し、前記基板側コネクタに前記コード側コネクタを取り付けると前記許容状態に変換するようにしたことを特徴とする。
【発明の効果】
【００１５】
請求項１に係る遊技機によれば、前記蓋部材とベース部材とを止着部材により止着した閉状態と、止着部材による止着を解除して前記蓋部材と前記ベース部材とを開放可能とした開放可能状態と、に変換可能な止着部を設け、前記基板ボックスには、前記止着部を覆うカバー部材を設け、前記カバー部材は、破壊しないと取り外せないように固着する固着手段により基板ボックスへ固着したので、固着手段を破壊しただけでは基板ボックスを開放することはできず、カバー部材を基板ボックスから取り外して現れる止着部を開放可能状態へ変換させるべく、止着部材による止着を解除しなければ、基板ボックスを開放することができない。すなわち、制御装置の制御基板に対して不正を行うためには、止着部における止着部材の止着を解除するために長時間を要するので、制御基板に対する改竄作業が非常に困難となり、不正行為の抑止に好適である。
【００１６】
また、請求項２に係る遊技機によれば、前記止着部材はネジにより構成し、前記止着部のネジを緩めて前記蓋部材と前記ベース部材とを開放できる開放可能状態にしても、前記止着部からネジが外れることを阻止するネジ抜け阻止手段を設け、前記止着部にネジを締め付けて閉状態にしないと、前記カバー部材を固着手段により基板ボックスへ固着できないようにしたので、正規に基板ボックスを開放した際に、止着部へネジを締めないままカバー部材を基板ボックスへ固着してしまうミスを防げる。また、不正遊技者と共謀した遊技店員が故意に止着部のネジを締めないでカバー部材を基板ボックスへ固着しておくような不正行為の幇助も不可能となる。
【００１７】
また、請求項３に係る遊技機によれば、前記カバー部材の前記基板ボックスへの取り付けを許容する取付許容状態と、前記カバー部材の前記基板ボックスへの取り付けを阻止する取付阻止状態とに変換可能な第１取付阻止手段を基板ボックスに設け、前記第１取付阻止手段は、前記止着部材が止着部に止着されていない開放可能状態においては取付阻止状態に変換し、前記止着部材が止着部に止着された閉状態においては取付許容状態に変換するので、正規に基板ボックスを開放した際に、止着部に止着部材を止着しないままカバー部材を基板ボックスへ取り付けてしまうミスを防げる。また、不正遊技者と共謀した遊技店員等が故意に止着部に止着部材を止着しないでカバー部材を取り付けるような不正行為の幇助も不可能となる。
【００１８】
また、請求項４に係る遊技機によれば、前記制御基板には、前記電気部品から延出する各種配線コードに接続されるコード側コネクタを取り付けることで前記電気部品と当該制御基板とを電気的に接続する基板側コネクタを設け、前記基板側コネクタを表出させた状態で前記制御基板を前記基板ボックスに収容し、前記カバー部材を前記基板ボックスに取り付けると、前記基板側コネクタ及び該基板側コネクタに取り付けられたコード側コネクタを覆うようにしたので、基板側コネクタとコード側コネクタとの間に不正基板等を介在させる不正行為を行うには、固着手段を破壊してカバー部材を基板ボックスから取り外す必要が生じ、そのような不正行為を固着手段の破壊履歴として確実に把握することができる。
【００１９】
また、請求項５に係る遊技機によれば、前記カバー部材の前記基板ボックスへの取り付けを許容する取付許容状態と、前記カバー部材の前記基板ボックスへの取り付けを阻止する取付阻止状態とに変換可能な第２取付阻止手段を設け、前記第２取付阻止手段は、前記基板側コネクタに前記コード側コネクタを取り付けていないと前記取付阻止状態に変換し、前記基板側コネクタに前記コード側コネクタを取り付けると前記許容状態に変換するようにしたので、基板側コネクタとコード側コネクタとの間に不正基板等を介在させる不正行為を行うと、第２取付阻止手段は取付許容状態に変換しないためにカバー部材を基板ボックスへ取り付けることが不可能となる。よって、不正遊技者と共謀した遊技店員等が故意に基板側コネクタとコード側コネクタとの間に不正基板等を介在させた状態で基板ボックスへカバー部材を取り付けるような不正行為の幇助も不可能となる。
【発明を実施するための最良の形態】
【００２０】
次に、本発明に係る遊技機の実施形態を添付図面に基づき詳細に説明する。
【００２１】
図１に示すのは、弾球遊技を行える遊技機１の正面図である。本実施形態として示す遊技機１には遊技に関連した各種機能（後に詳述）を付加し、遊技機１の一側方には、プリペイドカード（所定の金額で予め販売される弾球遊技用のカードであって、通貨と等価な有価データを記憶させたものをいう）の使用を可能ならしめるカード制御機能や球貸制御機能等を付加した球貸ユニット（図示を省略）を設け、球貸ユニットで借り受けた遊技球を用いて遊技機１で遊技を行えるようにした。なお、球貸ユニットが備える機能の全部もしくは一部を遊技機１に付加し、遊技機１から遊技球を貸し出すようにしても良い。
【００２２】
遊技機１は、額縁状の本体枠２の前面側に各種の遊技機能部が設けられた前面枠３を開閉可能に設け、該前面枠３の前面側に透明部材保持枠４と上皿ユニット５を各々開閉可能に設け、更に前面枠３の最下部には下皿ユニット６を固着した外観を有するものである。透明部材保持枠４は、透明なガラスや硬質合成樹脂等よりなる透明部材４ａを保持するもので、この透明部材４ａから図示を省略した遊技盤の遊技領域が遊技者に視認される。上皿ユニット５は、遊技球を貯留可能な上皿貯留部５１を備え、遊技に伴って遊技球を順次発射装置へ供給する。下皿ユニット６は、上皿貯留部５１が満杯になってオーバーフローした遊技球あるいは遊技者が球抜き操作部５２を操作することにより上皿貯留部５１から抜き出された遊技球が導入される下皿貯留部６１や遊技者が操作する操作ハンドル６２等を備える。
【００２３】
上述した遊技機１の裏側には、図２に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤に設けた各種遊技装置の動作制御などを行うことで遊技の進行を統括的に制御する遊技制御装置７、球排出や打球の発射制御を行う排出・発射制御装置８、各部へ所定の電源を供給する電源装置９等の各種装置を適所に設けてある。
【００２４】
遊技機１の裏面側に設けられる各種装置は、遊技の円滑な制御に不可欠であり、不正に改竄されたり、意図的に誤動作させられたりすると、遊技機１の信頼性を損なうことになる。特に、遊技進行の統括的な制御を行う遊技制御装置７は、遊技制御のプログラム等を記憶保持しているため、その秘匿性を担保する必要から、開封には制限を加えるものとなっている。以下、遊技制御装置７の詳細な構造について説明する。
【００２５】
図３は、遊技制御装置７の外観斜視図であり、遊技機１の動作に関わる制御を実行するための各種電子・電気パーツとコネクタを実装した略四角形状の遊技制御基板２０を、合成樹脂製のベース部材３０と蓋部材４０よりなる基板ボックス５０に収納し、該基板ボックス５０に設けた止着部５１（図４を参照）をカバー部材６０で覆い、このカバー部材６０は、破壊しないと取り外せないように固着する固着手段７０により基板ボックス５０へ固着したものである。なお、遊技制御基板２０の各コネクタ２１…は、電気部品から延出する各種配線コードに接続されるコード側コネクタを取り付けるために、蓋部材４０のコネクタ挿通部を介して外部に露出させておく。
【００２６】
また、基板ボックス５０には、例えば、ベース部材３０に設けた係合受け部材と蓋部材４０に設けた係合凸片とからなる係合部５２…を適宜形成し、ベース部材３０と蓋部材４０を相対的に係合方向へスライドさせるとベース部材３０と蓋部材４０が分離できない係合状態となり、ベース部材３０と蓋部材４０を相対的に反係合方向へスライドさせるとベース部材３０と蓋部材４０が分離できる非係合状態に戻る。
【００２７】
この係脱自在な係合部５２によって、遊技制御基板２０を収容した基板ボックス５０が容易に開放されない係合状態にすると、ベース部材３０の係止部形成壁３１側に設けた突板部３２のネジ受け孔３３に対して、蓋部材４０の係止部形成壁４１に設けた突板部４２のネジ止め部４３に螺着・保持された止着部材たるネジ４４をネジ止め可能な状態となる（図５（ａ）を参照）。
【００２８】
そして、ベース部材３０と蓋部材４０とを係合状態とした基板ボックス５０において、ネジ４４をネジ受け孔３３に螺嵌すると、ベース部材３０と蓋部材４０を非係合状態へ戻すようにスライドさせることができなくなり、基板ボックス５０は閉状態となる。一方、ネジ４４をネジ受け孔３３から外すと、ベース部材３０と蓋部材４０を非係合状態へ戻すようにスライドさせることが可能となり、基板ボックス５０は開放可能状態となる。
【００２９】
すなわち、本実施形態に示す遊技機１においては、ベース部材３０の突板部４２に設けたネジ受け孔３３と蓋部材４０の突板部４２に設けたネジ止め部４３が協働することで、止着部５１（蓋部材４０とベース部材３０とを止着部材により止着した閉状態と、止着部材による止着を解除して蓋部材４０とベース部材３０とを開放可能とした開放可能状態と、に変換可能な止着部）となる。なお、止着部５１は、１箇所でも構わないが、本構成例においては、７箇所並設し、全ての止着部５１…に対して、ネジ４４の着脱を行わなければ、基板ボックス５０を閉状態あるいは開放可能状態に変換できないものとした。
【００３０】
さらに、ネジ４４の外周適所には抜け止め突部４４ａを設けてあり、この抜け止め突部４４ａがネジ止め部４３の内空部を狭める障壁部４３ａに当接することで、ネジ４４がネジ止め部３３から抜け落ちることを阻止する。すなわち、本構成例においては、ネジ４４に設けた抜け止め突部４４ａとネジ止め部４３に設けた障壁部４３ａが協働することで、「止着部のネジを緩めて蓋部材とベース部材とを開放できる開放可能状態にしても、止着部からネジが外れることを阻止するネジ抜け阻止手段」として機能するのである。また、ネジ４４がネジ受け孔３３に螺入されていないときは、ネジ４４の頭部がネジ止め部４３の頂部４３ｂよりも突出した状態（図５（ａ）を参照）となるが、ネジ４４がネジ受け孔３３に適宜長さまで螺入されると、ネジ４４の頭部はネジ止め部４３の頂部４３ｂよりも突出しなくなる（図５（ｂ）を参照）。
【００３１】
上記のように構成した止着部５１…を覆うカバー部材６０は、例えば、ネジ止め部４３の頂部４３ｂを覆うように蓋部材４０側に取り付け、止着部材たるネジ４４を操作できないようにする。斯くするために、カバー部材６０は、蓋部材４０の係止部形成壁４１の壁面に一側縁が当接した状態で各ネジ止め部３３…の頂部３３ｂを覆う主カバー壁６１と、この主カバー壁６１の他側縁に連設されて蓋部材４０の固着部形成壁４１とほぼ平行な重合部形成壁６２と、これら主カバー壁６１および重合部形成壁６２の両側端縁に各々連なる第１側壁６３および第２側壁６４を備える。
【００３２】
そして、カバー部材６０を基板ボックス５０へ適正に取り付けると、図５（ｂ）に示すように、カバー部材６０の固着部形成壁４１の端縁がベース部材３０の突板部３２に当接し、第１，第２側壁６３，６４が蓋部材４０の係止部形成壁４１および突板部４２に各々当接し、主カバー壁６１がネジ止め部４３の頂部４３ｂを覆う状態になる。このとき、カバー部材６０の重合部形成壁６２に形成した複数（例えば、４個）のカバー側重合部６５と、ベース部材３０における突板部３２の突出端に形成した複数（例えば、４個）のボックス側重合部３４とが相互に重なり合い、固着手段７０を構成する。
【００３３】
上記カバー側重合部６５は、重合部形成壁６２から突出する切除部６５ａと、該切除部６５ａの延出端側に設けた固着部６５ｂとからなる。ボックス側重合部３４も、同様に、ベース部材３０の突板部３２から突出する切除部３４ａと、該切除部３４ａの延出端側に設けた固着部３４ｂとからなる。カバー部材６０を基板ボックス５０へ適正に取り付けたとき、カバー側重合部６５の固着部６５ｂが有する固着孔とボックス側重合部３４の固着部３４ｂが有する固着孔とは相互に連通する状態となり、締め付けると緩めることができないワンウェイネジ７１で固着部６５ｂから固着部３４ｂへ締め付けると、固着部６５ｂ，３４ｂからワンウェイネジ７１を外せないために、基板ボックス５０からカバー部材６０を取り外すことができなくなる。また、切除部６５ａ，３４ａは、ニッパー等の切断具によって比較的容易に切断できる部位であり、カバー側重合部６５とボックス側重合部３４とが重なり合ったまま、切除部６５ａ，３４ａを切断すると（固着手段７０を破壊すると）、ワンウェイネジ７１で固着された固着部６５ｂ，３４ｂが除去され、基板ボックス５０からカバー部材６０を取り外すことができる。
【００３４】
このように、本実施形態に係る遊技機１においては、破壊しなければ取り外すことができない固着手段７０によってカバー部材６０を基板ボックス５０へ固着するので、固着手段７０の破壊状況がカバー部材６０を取り外した履歴として残るし、基板ボックス５０を開放するには、カバー部材６０を基板ボックス５０から取り外して現れる止着部５１…を開放可能状態へ変換させるべく、全てのネジ止め部４３のネジ４４を外さなければならない。すなわち、遊技制御装置７の遊技制御基板２０に対して不正を行うためには、全ての止着部５１…におけるネジ４４を外すために長時間を要するので、遊技制御基板２０に対する改竄作業が非常に困難となり、不正行為の抑止に好適である。
【００３５】
また、遊技制御基板２０における各種電子・電気パーツの実装面が蓋部材４０の内空部に臨み、電子・電気パーツの実装されていない面が蓋部材４０の開口側に臨むように、遊技制御基板２０を蓋部材４０へビス止めする構造にしておけば（図５（ａ），（ｂ）を参照）、不正目的で、全ての止着部５１…が開放可能状態へ変換され、基板ボックス５０が開放されても、更に蓋部材４０から遊技制御基板２０を取り出すためにビスを外さなければならないので、遊技制御基板２０に対する改竄作業が一層困難となり、不正行為の抑止効果をより高めることができる。
【００３６】
加えて、本実施形態に係る遊技機１においては、カバー部材６０を基板ボックス５０へ適正に取り付けたとき、蓋部材４０の止着部形成壁４１に突出形成したカバー部材位置規制部４５がカバー部材６０の主カバー壁６１の外面に近接した状態となり、カバー部材位置規制部４５とネジ止め部４３の頂部４３ｂとの配置関係から、カバー部材６０の主カバー壁６１を適正な状態で導入できる導入可能領域を制限し、ネジ止め部４３の頂部４３ｂとカバー部材６０の主カバー壁６１とが離隔した状態では、カバー部材位置規制部４５が障害となって、主カバー壁６１の端縁が蓋部材４０の止着部形成壁４１に当着するように取り付けることができないようにした。
【００３７】
すなわち、止着部５１にネジ４４を締め付けて閉状態にしないと、ネジ４４の頭部がネジ止め部４３の頂部４３ｂよりも突出しているために、カバー部材６０を基板ボックス５０へ適正に取り付けることができず、カバー側重合部６５とボックス側重合部３４とが重なり合った固着手段７０を構成できないために、ワンウェイネジ７１による固着ができないのである。よって、正規に基板ボックス５０を開放した際に、止着部５１へネジ４４を締めないままカバー部材６０を基板ボックス５０へ固着してしまうミスを防げる。また、不正遊技者と共謀した遊技店員が故意に止着部５１のネジ４４を締めないでカバー部材６０を基板ボックス５０へ固着しておくような不正行為の幇助も不可能となる。
【００３８】
なお、本構成例においては、カバー部材位置規制部４５とネジ止め部４３の頂部４３ｂとの配置関係およびネジ止め部４３におけるネジ４４の抜け止め阻止構造により、「カバー部材の前記基板ボックスへの取り付けを許容する取付許容状態と、前記カバー部材の前記基板ボックスへの取り付けを阻止する取付阻止状態とに変換可能な第１取付阻止手段」を構成するので、止着部材たるネジ４４が止着部５１に止着されていない開放可能状態が、カバー部材６０を適正位置へ取り付けられない取付阻止状態であると同時に、固着手段７０による固着も不可能な状態となる構造を採用したが、これに限らず、止着部５１へネジ４４を締め付けていない開放可能状態で、カバー部材６０を基板ボックス５０へ取り付けることは可能であるものの、固着手段７０をワンウェイネジ７１によって固着することは不可能となる構造を採用しても良い。
【００３９】
次に、止着部とコネクタ部をカバー部材で覆う構造を採用した遊技制御装置７′について、図６〜図９に基づいて詳述する。
【００４０】
近年、遊技店で発生している不正として、いわゆる「ぶら下がり基板」と称する不正な基板を遊技機へ取り付けるものがある。この「ぶら下がり基板」の一例として、例えば、遊技盤に設けた始動口センサと遊技制御装置の遊技制御基板との信号線路中に介在させることで、ぶら下がり基板から不正な信号を遊技制御装置へ入力させ、大当たりを発生させるものがある。このような「ぶら下がり基板」を遊技機に取り付ける手口は、遊技制御装置のコネクタ部から始動口センサのコネクタを引き抜き、「ぶら下がり基板」にそのコネクタを接続し、ぶら下がり基板からのケーブルに設けたコネクタを遊技制御装置のコネクタに接続するものであり、その取り付け作業時間は短時間で済むし、取り付けられる「ぶら下がり基板」も小型化されているので、ぶら下がり基板による不正を発見することは容易ではない。
【００４１】
そこで、本構成例の遊技制御装置７′においては、止着部と併せてコネクタ部もカバー部材で覆い、コネクタ部を介して「ぶら下がり基板」を取り付けるような不正行為を抑制するのである。すなわち、各種電子・電気パーツとコネクタを実装した略四角形状の遊技制御基板１２０を、合成樹脂製のベース部材１３０と蓋部材１４０よりなる基板ボックス１５０に収納し、該基板ボックス１５０に設けた止着部１５１（図７を参照）と、該止着部１５１に近接する配置となるように遊技制御基板１２０に設けたコネクタ配設領域１２１の基板側コネクタ１２２…をカバー部材１６０で覆い、このカバー部材１６０は、破壊しないと取り外せないように固着する固着手段１７０により基板ボックス１５０へ固着したものである。
【００４２】
なお、遊技制御基板１２０に設ける複数の基板側コネクタ１２２…は、後述するカバー部材１６０のスライド方向（取り付け・取り外し方向）へ一列状に整列配置し、電気部品から延出する各種配線コード１８０に接続されるコード側コネクタ１８１（例えば、ピン挿通孔を有するメスコネクタ）が基板側コネクタ１２２（例えば、接続ピンを有するオスコネクタ）に接続された状態でカバー部材１６０を基板ボックス１５０へ取り付けた際には、カバー部材１６０に設けたスリット状の配線挿通空部１６１を介して各種配線コード１８０が外部へ導出される（図９（ｃ）を参照）。
【００４３】
また、基板ボックス１５０には、例えば、ベース部材１３０に設けた係合受け部１３１…と蓋部材１４０に設けた係合凸片１４１…とからなる係合部１５２…を適宜形成し、ベース部材１３０と蓋部材１４０を相対的に係合方向へスライドさせるとベース部材１３０と蓋部材１４０が分離できない係合状態となり、ベース部材１３０と蓋部材１４０を相対的に反係合方向へスライドさせるとベース部材１３０と蓋部材１４０が分離できる非係合状態に戻る。
【００４４】
この係脱自在な係合部１５２によって、遊技制御基板１２０を収容した基板ボックス１５０が係合状態になると、ベース部材１３０の内面側適所に突出状に設けた複数の止着ボス１３２…が蓋部材１４０の止着板部１４２に近接あるいは当接すると共に、各止着ボス１３２…に設けた止着孔１３２ａと止着板部１４２に設けた止着孔１４２ａとが連通するので、止着部材たる止着ネジ１５３により蓋部材１４０の止着板部１４２とベース部材１３０の止着ボス１３２を止着可能となる。すなわち、本構成例においては、ベース部材１３０の止着ボス１３２に設けた止着孔１３２ａと蓋部材１４０の止着板部１４２に設けた止着孔１４２ａが協働することで、止着部１５１（蓋部材１４０とベース部材１３０とを止着部材により止着した閉状態と、止着部材による止着を解除して蓋部材１４０とベース部材１３０とを開放可能とした開放可能状態と、に変換可能な止着部）となる。
【００４５】
そして、カバー部材１６０を基板ボックス１５０へ適正に取り付けると、止着部１５１に加えて、遊技制御基板１２０の各基板側コネクタ１２２…および各基板側コネクタ１２２に接続されたコード側コネクタ１８１…がカバー部材１６０によって覆われる。このとき、カバー部材１６０に複数（例えば、４個）設けたカバー側重合部１６２と、蓋部材１４０に複数（例えば、４個）設けたボックス側重合部１４３とが相互に重なり合い、固着手段１７０を構成する。
【００４６】
上記カバー側重合部１６２は、側壁から突出する切除部１６２ａと、該切除部１６２ａの延出端側に設けた固着部１６２ｂとからなる。ボックス側重合部１４３も、同様に、蓋部材１４０の側壁から突出する切除部１４３ａと、該切除部１４３ａの延出端側に設けた固着部１４３ｂとからなる。カバー部材１６０を基板ボックス１５０へ適正に取り付けたとき、カバー側重合部１６２の固着部１６２ｂが有する固着孔とボックス側重合部１４３の固着部１４３ｂが有する固着孔とは相互に連通する状態となり、締め付けると緩めることができないワンウェイネジ（図示省略）で固着部１６２ｂから固着部１４３ｂへ締め付けると、固着部１６２ｂ，１４３ｂからワンウェイネジを外せないために、基板ボックス１５０からカバー部材１６０を取り外すことができなくなる。また、切除部１６２ａ，１４３ａは、ニッパー等の切断具によって比較的容易に切断できる部位であり、カバー側重合部１６２とボックス側重合部１４３とが重なり合ったまま、切除部１６２ａ，１４３ａを切断すると（固着手段１７０を破壊すると）、ワンウェイネジで固着された固着部１６２ｂ，１４３ｂが除去され、基板ボックス１５０からカバー部材１６０を取り外すことができる。
【００４７】
本構成例の遊技制御装置７′のように、カバー部材１６０を基板ボックス１５０に取り付けると、止着部１５１と併せて、基板側コネクタ１２２…及び該基板側コネクタ１２２に取り付けられたコード側コネクタ１８１…を覆うことができるので、基板側コネクタ１２２とコード側コネクタ１８１との間に不正基板等を介在させる不正行為を行うには、固着手段１７０を破壊してカバー部材１６０を基板ボックス１５０から取り外す必要が生じ、そのような不正行為を固着手段１７０の破壊履歴として確実に把握することができる。なお、基板ボックス１５０の適所（例えば、蓋部材１４０）に、ボックス開封履歴記入シート１４４ａやカバー開封履歴記入シート１４４ｂを設けておき、これらに正規の開封履歴を随時記入しておけば、記入事項と破壊された固着手段１７０の数から、不正な開封動作が行われたことを判別し易くなる。
【００４８】
しかしながら、止着部１５１を覆うカバー部材１６０は、固着手段１７０により基板ボックス１５０に固着するのであるから、遊技制御基板１２０の基板側コネクタ１２２…もカバー部材１６０で覆う構造を採用した場合、新台入れ替え時などにコード側コネクタ１８１の差し忘れや差し間違いがあると、固着手段１７０を破壊してカバー部材１６０を基板ボックス１５０から取り外さなければ、コード側コネクタ１８１の付け直しを行えないので、不便である。特に、遊技制御装置７′に設ける固着手段１７０の数は限られており、固着手段１７０を全て破壊してしまうと、カバー部材１６０を取り付けることができなくなってしまうし、警察が立ち会わないとカバー部材１６０を外せない場合には、その都度、警察を呼ばなければならない。このような問題点に鑑み、本構成例として示す遊技制御装置７′には、全ての全ての基板側コネクタ１２２…に対してコード側コネクタ１８１が適切に接続されていないと、カバー部材１６０を取り付けることができない構造を採用した。以下、これについて詳述する。
【００４９】
まず、カバー部材１６０におけるカバー側重合部１６２を設けた側面部の下縁より屈曲状に設けた第１スライド部１６３ａを、この第１スライド部１６３ａに相対向するように第２スライド部１６３ｂを設け、基板ボックス１５０に形成した第１スライドガイド凹部１５４ａと第２スライドガイド凹部１５４ｂの側端開口より第１，第２スライド部１６３ａ，１６３ｂを嵌入させ、取付方向（図８中、矢印Ａで示す）へ奥までスライドさせることにより、全てのコード側コネクタ１８１…および止着部１５１をカバー部材１６０で覆う状態となる。このときに、前述したように、カバー側重合部１６２とボックス側重合部１４３とが相互に重なり合って固着手段１７０を構成し、ワンウェイネジによる止着が可能となる。
【００５０】
基板ボックス１５０における第１スライドガイド凹部１５４ａは、例えば、蓋部材１４０に設けた第１ガイド片１４５ａと遊技制御基板１２０との間に形成される空部であり、カバー部材１６０の第１スライド部１６３ａの厚さと概ね等しいか、若干広い程度となるように設定してある。一方、基板ボックス１５０における第２スライドガイド凹部１５４ｂは、例えば、蓋部材１４０に設けた第２ガイド片１４５ｂと取付規制部材１９０に設けた複数のスライドガイド片１９１…との間に形成される空部であり、カバー部材１６０の第２スライド部１６３ｂの厚さと概ね等しいか、若干広い程度となるように設定してある。
【００５１】
しかして、取付規制部材１９０には、各スライドガイド片１９１の間にスライド規制片１９２…を各々設けておき、取付規制部材１９０が蓋部材１４０へ適正に取り付けた際には、スライド規制片１９２の基端部から突出端にむかって徐々に第２ガイド片１４５ｂへ近接するように、スライド規制片１９２の延出方向をスライドガイド片１９１の延出方向よりも傾斜させているので、スライド規制片１９２と第２ガイド片１４５ｂとの離隔間隔は、スライドガイド片１９１と第２ガイド片１４５ｂとの離隔間隔よりも狭くなり、カバー部材１６０の第２スライド部１６３ｂがスライド規制片１９２を越えて、更に奥へ挿入されることを阻止する（図９（ａ）を参照）。
【００５２】
なお、取付規制部材１９０は、有弾性の合成樹脂等で形成し、適宜な押圧力で取付規制部材１９０を押圧することで、取付規制部材１９０の延出方向がスライドガイド片１９１の延出方向とほぼ同じになるように変形させることができると共に、押圧力を取り去ると、元の傾斜状態に復元可能とする。また、取付規制部材１９０のスライド規制片１９２は、遊技制御基板１２０のコネクタ配設領域１２１に設けた基板側コネクタ１２２…に各々対応させて設けると共に、各スライド規制片１９２の突出端部である接続判定部１９２ａが、基板側コネクタ１２２に近接した状態となるようにしてある。例えば、図７に示すように、遊技制御基板１２０のコネクタ配設領域１２１に４つの基板側コネクタ１２２…を設けた場合は、各基板側コネクタ１２２に対応する４つのスライド規制片１９２…と、各スライド規制片１９２に隣接する５つのスライドガイド片１９１…を設ける。
【００５３】
さらに、本構成例においては、スライド規制部材１９０の取付部１９３を蓋部材１４０に設けた規制部材取付部１４６へ嵌入して取り付け、遊技制御基板１２０を封入してベース部材１３０と係合して基板ボックス１５０を構成した祭には、スライド規制部材１９０のスライドガイド片１９１が遊技制御基板１２０の電子・電気パーツ実装面とほぼ並行に近接もしくは当接する状態となることで、第２ガイド片１４５ｂとスライドガイド片１９１…との間に空部である第２スライドガイド凹部１５４ｂがカバー部材１６０の第２スライド部１６３ｂの厚さよりも広くなってしまうことを防止し、スライド規制片１９２と第２ガイド片１４５ｂとの間をカバー部材１６０の第２スライド部１６３ｂが通過してしまうことが無いようにした。
【００５４】
上記のように構成したスライド規制部材１９０を備える基板ボックス１５０の基板側コネクタ１２２に対して、適正なコード側コネクタ１８１を接続するには、基板側コネクタ１２２の接続ピン１２２ａがコード側コネクタ１８１のピン挿通孔へ内挿されるように押し込んで行き（図９（ａ）中、矢印Ｂで示す方向）、基板側コネクタ１２２の係止部１２２ｂの係止爪がコード側コネクタ１８１の適所に係止されるまで押圧する。このとき、コード側コネクタ１８１における第２スライドガイド凹部１５４ｂに臨む側面の適所から突出形成した規制解除突部１８１ａがスライド規制部材１９０のスライド規制片１９２における接続判定部１９２ａにちょうど当接し、遊技制御基板１２０の電子・電気パーツ実装面へ向けてスライド規制片１９２を押圧することにより、少なくとも、スライド規制片１９２の基端側における第２ガイド片１４５ｂに対抗する面がスライドガイド片１９１とほぼ面一となる（図９（ｂ）を参照）。
【００５５】
このように、適正なコード側コネクタ１８１が基板側コネクタ１２２へ接続されれば、規制解除突部１８１ａがスライド規制片１９２の接続判定部１９２ａにちょうど当接して、スライド規制片１９２を遊技制御基板１２０に向けて押圧するので、スライド規制片１９２と第２ガイド片１４５ｂとの間をカバー部材１６０の第２スライド部１６３ｂが通過可能な空部が確保され、カバー部材１６０の第２スライド部１６３ｂがスライド規制片１９２を越えて、更に奥へ挿入されることを許容する（図９（ｃ）を参照）。
【００５６】
すなわち、本構成例の遊技制御装置７′においては、蓋部材１４０に取り付けるスライド規制部材１９０と蓋部材１４０に形成した第２ガイド片１４５ｂとが協働することで、「カバー部材の基板ボックスへの取り付けを許容する取付許容状態と、カバー部材の基板ボックスへの取り付けを阻止する取付阻止状態とに変換可能な第２取付阻止手段」として機能すると共に、この第２取付阻止手段は、基板側コネクタ１２２にコード側コネクタ１８１を取り付けていないと取付阻止状態に変換し、基板側コネクタ１２２にコード側コネクタ１８１を取り付けると許容状態に変換するようにしたので、基板側コネクタ１２２とコード側コネクタ１８１との間に不正基板等を介在させる不正行為を行うと、第２取付阻止手段は取付許容状態に変換しないために、カバー部材１６０を基板ボックス１５０へ取り付けることが不可能となる。よって、不正遊技者と共謀した遊技店員等が故意に基板側コネクタ１２２とコード側コネクタ１８１との間に不正基板等を介在させた状態で基板ボックス１５０へカバー部材１６０を取り付けるような不正行為の幇助も困難となる。
【００５７】
なお、上述したスライド規制部材１４０の構成では、基板側コネクタ１２２に対して適正なコード側コネクタ１８１が取り付けられていれば、止着部１５１が止着状態になっていなくても、カバー部材１６０を装着することができる。そこで、前述した遊技制御装置７で採用した第１取付阻止手段としての機能を遊技制御装置７′にも付加する場合の構成例を、図１０に基づき説明する。
【００５８】
第１，第２取付阻止手段としての機能を実現するために、スライド規制部材１９０′は、コネクタ配設領域１２１よりも更に奥側の止着部１５１（蓋部材１４０における止着板部１４２を設けた領域）まで延出する構造とし、スライド規制部材１９０′に設けたスライド規制片１９４がちょうど止着板部１４２の止着孔１４２ａに対応する部位まで延在するように設定しておく。すなわち、止着部材たる止着ネジ１５３を蓋部材１４０の止着孔１４２ａからベース部材１３０の止着孔１３２ａへ締着するためには、スライド規制片１９４の止着孔１９４ａから止着板部１４２の止着孔１４２ａへ止着ネジ１５３を通さなければならない構造とする（図１０（ａ）を参照）。
【００５９】
そして、スライド規制片１９４は、基板側コネクタ１２２に対応させて設けたスライド規制片１９２と同様に、その延出方向を傾斜させているので、スライド規制片１９４と第２ガイド片１４５ｂとの離隔間隔は、スライドガイド片１９１と第２ガイド片１４５ｂとの離隔間隔よりも狭くなり、カバー部材１６０の第２スライド部１６３ｂがスライド規制片１９４を越えて、更に奥へ挿入されることを阻止する。
【００６０】
一方、スライド規制片１９４の止着孔１９４ａから止着板部１４２の止着孔１４２ａへ止着ネジ１５３を締め付けると、スライド規制片１９４の基端部が遊技制御基板１２０の電子・電気パーツ実装面および止着板部１４２の外面へ押圧され、少なくとも、スライド規制片１９４の基端側における第２ガイド片１４５ｂに対抗する面がスライドガイド片１９１とほぼ面一となる（図１０（ｂ）を参照）。
【００６１】
このように、止着部１５１において、スライド規制片１９４の止着孔１９４ａから止着板部１４２の止着孔１４２ａへ止着ネジ１５３を締め付けておけば、スライド規制片１９２が遊技制御基板１２０および止着板部１４２に向けて押圧されるので、スライド規制片１９４と第２ガイド片１４５ｂとの間にカバー部材１６０の第２スライド部１６３ｂを通過させ得る空部が確保され、カバー部材１６０の第２スライド部１６３ｂがスライド規制片１９４を越えて、更に奥へ挿入されることを許容する（図１０（ｃ）を参照）。
【００６２】
すなわち、スライド規制部材１９０′を用いた構成例においては、止着板部１４２の止着孔１４２ａに対応する部位まで延在させて止着孔１９４ａを形成したスライド規制片１９４を有するスライド規制部材１９０′と蓋部材１４０に形成した第２ガイド片１４５ｂとが協働することで、「カバー部材の基板ボックスへの取り付けを許容する取付許容状態と、カバー部材の基板ボックスへの取り付けを阻止する取付阻止状態とに変換可能な第１取付阻止手段」として機能すると共に、この第１取付阻止手段は、止着ネジ１５３が止着部１５１に止着されていない開放可能状態においては取付阻止状態となり、止着ネジ１５３が止着部１５１に止着された閉状態においては取付許容状態に変換するので、正規に基板ボックス１５０を開放した際に、止着部１５１へ止着ネジ１５３を締めないままカバー部材１６０を基板ボックス１５０へ固着してしまうミスを防げる。また、不正遊技者と共謀した遊技店員が故意に止着部１５１へ止着ネジ１５３を締めないでカバー部材１６０を基板ボックス１５０へ固着しておくような不正行為の幇助も不可能となる。
【００６３】
上述した第１，第２取付阻止手段としての機能は、スライド規制部材１９０，１９０′のように、スライド規制片１９２，１９４を遊技制御基板１２０の電子・電気パーツ実装面や止着板部１４２へ押圧することで、カバー部材１６０の第２スライド部１６３ｂを通過可能な状態（取付許容状態）へ変換させるものとしたが、これに限らず、他の手法を適宜用いて実現可能である。
【００６４】
例えば、図１１に示す第２取付阻止手段においては、取付ガイド部材１９５と変換部材１９６によって、上述したスライド規制部材１９０と同様の機能を実現する。取付ガイド部材１９５は、蓋部材１４０′のガイド部材取付部１４７に保持される取付部１９５ａの開放側端部（遊技制御基板１２０に近接もしくは当接する側の端部）より基板側コネクタ１２２配設部位に向けて延出するスライドガイド部１９５ｂを備え、このスライドガイド部１９５ｂと蓋部材１４０′の第２ガイド片１４５ｂとの間にカバー部材１６０の第２スライド部１６３ｂを通過させ得る第２スライドガイド凹部１５４ｂが形成されるものである。
【００６５】
一方、変換部材１９６は薄板状のスライド部１９６ａを備え、基板側コネクタ１２２の配設部位に各々対応するよう、上記取付ガイド部材１９５のスライドガイド部１６３ｂに対して設けた変換部材ガイド凹部１９５ｃにスライド部１９６ａを配置することで、スライド部１９６ａの自由端部（基板側コネクタ１２２に当接可能な端部）に設けた当接部１９６ｂが基板側コネクタ１２２の基部１２２ｃに当接した取付阻止状態と当接部１９６ｂが基板側コネクタ１２２の基部１２２ｃから離隔した取付許容状態とに変換可能とする。
【００６６】
上記変換部材１９６の保持端部（上記自由端部と反対側の端部）には抜け止め弾性部１９６ｃを設け、この抜け止め弾性部１９６ｃを蓋部材１４０′の変換部材保持空部１４８内へ収容すると、抜け止め弾性部１９６ｃの弾性力によって当接部１９６ｂを基板側コネクタ１２２の基部１２２ｃに当接させる押圧力が生じ、常態においては、抜け止め弾性部１９６ｃによって変換部材１９６は取付阻止状態に保持される（図１１（ａ）を参照）。なお、変換部材１９６のスライド部１９６ａの保持端部において第２ガイド片１４５ｂに向けて膨出する取付規制部１９６ｄを設けてあり、取付阻止状態においては、変換部材１９６の取付規制部１９６ｄがカバー部材１６０の第２スライド部１６３ｂの通過を阻止するように第２スライドガイド凹部１５４ｂの奥行（図１１においては左右方向の幅）を狭めているため、カバー部材１６０の第２スライド部１６３ｂが変換部材１９６を越えて、更に奥へ挿入されることを阻止する。
【００６７】
また、変換部材１９６の当接部１９６ｂには押圧受け部１９６ｅを設け、コード側コネクタ１８１′の押圧部１８１ｂ（基板側コネクタ１２２の基部１２２ｃに当着する部位）によって押圧受け部１９６ｅが押圧されると、変換部材１９６が取付許容状態へ変換される。すなわち、基板側コネクタ１２２の接続ピン１２２ａがコード側コネクタ１８１′のピン挿通孔へ内挿されるように押し込んで行き（図１１（ａ）中、矢印Ｂで示す方向）、基板側コネクタ１２２の係止部１２２ｂの係止爪がコード側コネクタ１８１の適所に係止されるまで押圧すると、コード側コネクタ１８１′の押圧部１８１ｂの押圧力を受ける変換部材１９６の押圧受け部１９６ｅによって、当接部１９６ｂを基板側コネクタ１２２から離隔させる方向（図１１（ｂ）中、矢印Ｃで示す方向）の力が生じ、抜け止め弾性部１９６ｃの弾性力に抗して、スライド部１９６ａおよび取付規制部１９６ｄは基板側コネクタ１２２から遠ざかる方向へ移動する（図１１（ｂ）を参照）。
【００６８】
このように、コード側コネクタ１８１′が基板側コネクタ１２２へ接続されれば、変換部材１９６の取付規制部１９６ｄが蓋部材１４０′の変換部材保持空部１４８内へ押し込まれて行くため、カバー部材１６０の第２スライド部１６３ｂの通過を阻止する位置から変換部材１９６の取付規制部１９６ｄが退避し、カバー部材１６０の第２スライド部１６３ｂが変換部材１９６を越えて、更に奥へ挿入されることを許容する（図１１（ｃ）を参照）。
【００６９】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【００７０】
例えば、上記の実施形態においては、遊技制御装置７における基板ボックス５０の止着部５１を覆うカバー部材６０を設けるものとしたが、排出・発射制御装置８に対して同様の構成を採用しても良く、遊技に使用される電気部品を制御する制御基板を蓋部材とベース部材とからなる基板ボックスに収容してなる制御装置であれば、どの制御装置に対しても適用可能である。また、本発明は、弾球遊技が可能なパチンコ遊技機のほか、スロットマシン、アレンジボール、雀球遊技機などにも適用可能である。
【図面の簡単な説明】
【００７１】
【図１】本発明に係る遊技機の正面図である。
【図２】遊技機の裏面図である。
【図３】第１構成例に係る遊技機制御装置の斜視図である。
【図４】遊技制御装置の分解斜視図である。
【図５】カバー部材の取り付け説明図である。
【図６】第２構成例に係る遊技制御装置の斜視図である。
【図７】基板ボックスの斜視図である。
【図８】遊技制御装置の分解斜視図である。
【図９】コネクタ配設領域におけるカバー部材の取り付け説明図である。
【図１０】止着部におけるカバー部材の取り付け説明図である。
【図１１】コネクタ配設領域における他の構成によるカバー部材の取り付け説明図である。
【符号の説明】
【００７２】
１    遊技機
７    遊技制御装置
２０    遊技制御基板
３０    ベース部材
３３    ネジ受け孔
３４    ボックス側重合部
４０    蓋部材
４３    ネジ止め部
５０    基板ボックス
５１    止着部
６０    カバー部材
６５    カバー側重合部
７０    固着手段
７１    ワンウェイネジ
【図１】
2008055075.tif 000003
【図２】
2008055075.tif 000004
【図３】
2008055075.tif 000005
【図４】
2008055075.tif 000006
【図５】
2008055075.tif 000007
【図６】
2008055075.tif 000008
【図７】
2008055075.tif 000009
【図８】
2008055075.tif 000010
【図９】
2008055075.tif 000011
【図１０】
2008055075.tif 000012
【図１１】
2008055075.tif 000013